(57)【要約】本発明は、信号解析装置ならびに、異なる拡散率を持つコードチャネルを含むＣＤＭＡ（符号分割多元接続）信号のコードチャネルの能力を表示するための方法に関する。個々のコードチャネルの能力は、受信された信号に基づいて決定される。特定の基本拡散率に対する個々のコードチャネルの測定された能力は線図（１）において表され、またエイリアス出力を有するコードチャネル（5, 6）が表示される。特定の基本拡散率に対するコードチャネルがエイリアス出力を有するのは、基本拡散率（SF64, SF128）を持つコードチャネルが無効な場合、また、より高い拡散率（SF128, SF256）のコードチャネル（C68, C144）が有効な場合である。直交送信ダイバーシチの場合には、コードチャネルの能力は基本拡散率のコードチャネルに表示される。
2005535162.tif 000002
【特許請求の範囲】
【請求項１】
異なる拡散率（SF64, SF128, SF256）を有するコードチャネル（C4, C32, C68, C16, C144）を含むＣＤＭＡ（符号分割多重アクセス）信号のコードチャネルの出力を表示するための方法であって、下記の手順を有することを特徴とするコードチャネルの出力を表示するための方法：
−ＣＤＭＡ信号を受信すること；
−受信したＣＤＭＡ信号の個々のコードチャネル（C4, C32, C68, C16）の出力を測定すること；
−特定の基本拡散率に対する個々のコードチャネルの測定された出力を線図（１）に表示すること；および
−エイリアス出力を有するコードチャネル（5, 6）をマーキングすること。ここでは、基本拡散率（SF64, SF128）についてのコードチャネル（C4, C16, C18）が無効であり、より高い拡散率（SF128, SF256）の対応するコードチャネル（C68, C144）が有効な場合に、特定の基本拡散率に関するコードチャネル（C4, C16, C18）がエイリアス出力を有する。
【請求項２】
コードチャネルのそれぞれの出力が棒グラフによって表示されることを特徴とする請求項１記載の方法。
【請求項３】
エイリアス出力を有するコードチャネル（5, 6）が着色によってマークされることを特徴とする請求項１または２記載の方法。
【請求項４】
コードチャネルの出力がユーザー入力後に有効なコードチャネル（C68）を含む最大の拡散率（SF128）をもって自動的に表示されることを特徴とする請求項１ないし３のいずれか一項に記載の方法。
【請求項５】
エイリアス出力を有するコードチャネル（5）に割り当てられているマーキング（４）が、より高い拡散率（SF128）への変換時に該エイリアス出力を惹起するコードチャネル（5’’）に割り当てられることを特徴とする請求項１ないし４のいずれか一項に記載の方法。
【請求項６】
互いに直交するコードを使用する第１のアンテナ（ANT1）および第２のアンテナ（ANT2）を備えた送信機のＣＤＭＡ信号を測定する際に、前記第２のアンテナ（ANT2）の有効なコードチャネル（C144）の実際の出力であるエイリアス出力が生じる第１のアンテナ（ANT1）の基本拡散率（SF64）を有するコードチャネル（６）に対し、同一アンテナ（ANT1）のより高い拡散率（SF128）を有するコードチャネル（5’’）の実際の出力であるエイリアス出力を有するコードチャネル（５）とは異なるマーキングが行われることを特徴とする請求項１ないし５のいずれか一項に記載の方法。
【請求項７】
個々のコードチャネル（C4, C32, C16, C18, C144）の出力を評価するための解析装置（13）および特定の基本拡散率の個々のコードチャネルの出力を線図（１）によって視覚化するための表示装置（14）を備えるＣＤＭＡ（符号分割多重アクセス）信号のコードチャネルの出力を測定するための信号解析装置(10)において、
無効であって、エイリアス出力が測定可能である特定の基本拡散率（SF64）に関するコードチャネル（C4, C16）が線図（１）でマークされ、特定の基本拡散率（SF64）に関する無効なコードチャネル（C4）に対応するより高い拡散率（SF128）のコードチャネル（C68）が有効である場合にエイリアス出力が表示されることを特徴とするＣＤＭＡ信号のコードチャネルの出力を表示するための信号解析装置。
【請求項８】
コードチャネルのそれぞれの出力が棒グラフで表示されることを特徴とする請求項７記載信号解析装置。
【請求項９】
エイリアス出力が測定可能である特定の基本拡散率（SF64）の無効なコードチャネル（C4, C16）は、線図（１）において特定の基本拡散率（SF64）の有効なコードチャネル（２）とは異なる色でマークされることを特徴とする請求項７または８記載の信号解析装置。
【請求項１０】
有効なコードチャネル（C68）を含む最大の拡散率（SF128）に関するコードチャネルが自動的に表示装置（14）上で表示されることを特徴とする請求項７ないし９のいずれか一項に記載の信号解析装置。
【請求項１１】
互いに直交するコードを用いる第１のアンテナ（ANT1）および第２のアンテナ（ANT2）を備えた送信機のＣＤＭＡ信号を解析する際に、前記第２のアンテナ（ANT2）の有効なコードチャネル（144）により惹起されたエイリアス出力が測定可能である前記第１のアンテナ（ANT1）のコードチャネル（16）には、同一アンテナのより高い拡散率（SF128）の有効なコードチャネル（68）により惹起された測定可能なエイリアス出力を持つコードチャネル（４）とは異なる表示が行われることを特徴とする請求項７ないし１０のいずれか一項に記載の信号解析装置。
【発明の詳細な説明】
【技術分野】
【０００１】
本発明は、ＣＤＭＡ（符号分割多重アクセス）信号のコードチャネルの出力を表示するための信号解析装置および方法に関する。
【背景技術】
【０００２】
第三世代の移動通信システム機器を検査するためには、信号全体を構成する個々のコードチャネルの出力を算定することが必要である。個々のコードチャネルの測定された出力を評価するために、コードチャネルの各出力がグラフ表示される。個々のコードチャネルの出力のそのようなグラフ表示は、例えば米国特許第6,219,340 B1号に開示されている。
【０００３】
米国特許第6,219,340 B1号によれば、それぞれ有効なコードチャネルの個々の出力が棒形状で表示される。その際に個々のチャネルは、それぞれひとつのクラスのコードに属するコードチャネルが並べて配列されるようにＸ軸方向にプロットされる。それぞれのコードチャネルに対して算定された出力は、棒の高さにより表示される。個々のコードチャネルをそれぞれのクラスのコード、つまり特定の拡散率（ＳＦ）に帰属させることは、提案された表示方法では下位のクラスのコードにおける下位の拡散率に応じて、それぞれ対応する下位のクラスのコードのコードチャネルがより幅広く表示されることにより、達成される。さらに米国特許6,219,340 B1においては、無効なコードチャネルはダッシュにより表されることが提案されている。その際の無効チャネルというのは、データ伝送に寄与しないすべてのコードチャネルである。
【特許文献１】米国特許第6,219,340 B1号
【発明の開示】
【発明が解決しようとする課題】
【０００４】
米国特許第6,219,340 B1号において提案されている、測定されたＣＤＭＡ信号の表示には、コードチャネルが、実際に有効であるか、あるいは無効ではあるがより高い拡散率を有する対応するコードチャネルの出力の測定が可能であるかの区別ができないという欠点が存在する。有効なコードチャネルの実際の出力と、この有効なコードチャネルの実際のクラスのコードに対し下位のクラスのコードの無効コードチャネルのいわゆるエイリアス(alias)出力との区別が欠けていることは、ＣＤＭＡ信号全体の評価が著しく損なわれることになる。
【課題を解決するための手段】
【０００５】
本発明は、実際に有効なコードチャネルから生成される出力とエイリアス出力との区別が可能であるＣＤＭＡ信号のコードチャネル出力を表示するための信号解析装置および方法を提供することを目的とする。この目的は、請求項１記載の本発明に基づく方法ならびに請求項７記載の本発明に基づく信号解析装置により達成される。
【発明の効果】
【０００６】
本発明に基づく方法によれば、特定の基本拡散率に関し、無効であって、いわゆるエイリアス出力が生じるコードチャネルについては、個々のコードチャネルで生じる出力を表示する線図において特別なマークが付けられる。したがって、コードチャネルの個々の出力を評価する際に、実際に有効なコードチャネルと特定の基本拡散率において無効なコードチャネルとを区別することが極めて容易である。本来的に無効なチャネルがエイリアス出力形式の測定可能な出力を有する場合であっても、そのような区別が可能である。
【０００７】
従属請求項において特定された測定を使用することにより、本発明に基づく方法および本発明に基づく信号解析装置のさらに有利な構成が可能になる。
【０００８】
特に有利なのは、個々のコードチャネルの出力の表示のために棒グラフを選択すること、また測定可能であるエイリアス出力のコードチャネルの棒を別の色で表示することである。この着色表示により、より高いクラスのコードのコードチャネルから生じるどのチャネルが実際にエイリアス出力を有するかをグラフから容易に読み取ることができる。その際に、実際に測定された出力の高さに関する情報は維持されている。
【０００９】
さらに特に有利なのは、そのようなエイリアス出力の発生時にオペレータの入力により、当該エイリアス出力を惹起したコードチャネルを含むクラスのコードの表示へ自動的に切り換わることである。基本拡散率を有するクラスのコードの表示に基づいて、オペレータはより低いクラスのコードにおいて現れるエイリアス出力がどのクラスのコードから実際に生じるかを直ちに認識することができる。エイリアス出力を有するコードチャネルがより高い拡散率を持つ表示へ変換する際に、エイリアス出力を惹起する該当コードチャネルへ割り当てられるマークが、マーキング装置によって付されることにより、さらなる簡略化が可能になる。
【００１０】
さらに別のマーキング、例えば他の色に着色されたマーキングにより、相互の直交コードが割り当てられた同一送信装置の複数のアンテナを使用する際に、エイリアス出力が同一アンテナのひとつの信号あるいは別のアンテナのコードチャネルのいずれに起因するかを区別することができる。種々の原因によるエイリアス出力を供給するコードチャネルに対し異なるマーキングを使用することにより、エイリアス出力の該当原因を簡便な手段によって区別することが可能になる。
【発明を実施するための最良の形態】
【００１１】
本発明の好適な実施例は図面に表示されており、また以下に詳しく説明される。
【００１２】
第三世代の移動通信システムでは、基地局は複数の移動機器と通信しており、その際にいくつかの移動局が同時に情報を基地局に伝送するか、あるいはその逆が行われる。移動局から、または移動局へ送られる個々の信号の区別は、加盟者に対するコードの割当てにより行われるが、その際にそれぞれのコードは相互に直交している。それぞれのコードの基礎となる拡散率ＳＦに応じて、時間単位あたりに伝達できる情報数が変動する。伝送性能をできるかぎり利用するために、基地局により実際に受信および／又は送信された信号は、異なる拡散率を有するコードチャネルを備えている。
【００１３】
特定の拡散率の各コードは、次のより高いレベルの拡散率において再び２つの直交コードに分かれる。図１においては、例示的に拡散率64のコード４（符号C4）が表示されている。次のより高いクラスのコード、つまり拡散率128のコードにおいて、コード４は拡散率128のコード４（符号C4’）と拡散率128のコード68（符号C68）に分かれる。図１には、それぞれ拡散率が64, 128, 256である３つのクラスのコードからなるコードツリーの一部が示されている。
【００１４】
図１の概略表示において濃く塗られた拡散率64に関するコード32（C32）および拡散率128に関するコード68（C68）は、有効なものである。拡散率64に関するコードチャネルのそれぞれ測定された出力を表す信号を信号解析装置を用いて測定する際には、有効なコードチャネル32の出力とコードチャネル４についての追加出力が表示される。ここで、コードチャネル４の出力は、拡散率128における、無効なコードチャネル４をも引き起こし、また実際に有効なコードチャネル68の元となる、いわゆるエイリアス出力である。そして、拡散率128のコードチャネル４は実際に無効である。各図において、無効なコードチャネルはブランク円により表示されている。
【００１５】
図２に示されているのは、基本拡散率64についての個々のコードチャネルの出力の表示法である。この棒グラフの表示においては、個々のコードチャネルは横方向に記入されており、また個々のコードチャネルに割り当てられた棒の高さは、それぞれコードチャネルについて測定された出力を表している。表示されたクラスのコードにおいて実際に有効なコードチャネルは図２において符号２が付されており、例えば特定の色で表示される。基本拡散率64で無効なコードチャネルは他の色で表示されることが好ましく、図２では符号３で示されている。
【００１６】
図１に関して既述されたように、エイリアス出力を有するコードチャネルC4は、図２において符号５で示されており、表示装置１により特別な方法で表示されている。図２において選択された棒グラフ表示では、例えば別の色の棒が使用できる。さらに図２では、マーキング４が示されている。これは、測定装置のオペレーターにより任意のコードチャネルに対して割り当てることができる。表示された例では、マーキング４は着色表示されたコードチャネルC4（符号５）に割り当てられている。
【００１７】
図３においては、既に図２で表示された測定結果の表示が、拡散率128つまり次のより高いクラスのコードについて行われている。図１について既述したように、拡散率128に関する表示ではコードチャネルC68とコードチャネルC4’とを明確に区別しなければならない。これに対応するように、表示装置１は符号5’により表示されたC4’について僅少なノイズ出力しか表示しないが、それはコードC4’が実際には無効であることを意味する。これに対して、符号5’’により表示されたコードチャネルC68については相対的に高い出力が表示されるが、それはコードチャネルC68が実際に有効であり、また拡散率64のコードチャネルC4のエイリアス出力が惹起されたことを意味する。コードチャネルC68はエイリアス出力ではなく、実際の出力を有するため、コードチャネルC68に属する棒はもはや特別な着色により表示されるのではなく、拡散率128に関する他のすべての有効なコードチャネルと同じ色とされる。該当するコードチャネルの探知を容易にするために、図２におけるマーキング４は、図３におけるコードチャネルC68についてのマーキング4’として設定される。このマーキング4, 4’の置き換えは、アダマール行列に基づく符号生成によるエイリアス出力の発生に対応するものである。
【００１８】
該当するコードチャネルの特別な着色による棒グラフの好適な表示の代わりに、他の表示方法、例えば矢印表示あるいは線グラフなども可能である。エイリアス出力を有するコードチャネルの表示も、着色以外の手段により可能である。例えばシェーディング、棒の周囲に設けられる枠、点滅する棒あるいは矢印などが考えられる。
【００１９】
図４では、２つのアンテナを備えた送信装置において現れるエイリアス出力の生成に対する別の可能性が示されており、これらのアンテナでは互いに直交するコードをそれぞれ用いている（OTD=直交送信ダイバーシチ）。ここでは、第１のアンテナANT1および第２のアンテナANT2のチャネルがそれぞれ追加的な直交する拡散率をもって拡散される。これにより、コードチャネルは実際に２倍の拡散率を持つコードツリーの平面に配置されることになる。
【００２０】
図４には、これは例であるが、拡散率64のアンテナANT1のコードチャネル16に関する表示がなされている。ブランク円で示されているように、直交送信ダイバーシチを有する拡散率128のアンテナANT1のコードチャネルC16’は無効である。これに対して、コードチャネルC144（コード16、アンテナANT2、OTDを有する拡散率128）は有効である。これに対応して、コードチャネルC144の出力はコードチャネルC16（コード16、アンテナANT1、OTDを有する拡散率64）のエイリアス出力として測定される。表示装置１における対応する表示は、図５において再び基本拡散率64について示されている。外見的には有効なコードチャネルC16は図５において符号６で表されており、棒グラフでは他の色を使用して強調されている。図５においてコードチャネルC16に割り当てられたマーカー７は、図６における拡散率128に関する表示では、再びコードチャネルC16’に割り当てられるが、このチャネルはエイリアス出力を持たないため、無効として表示されている。図示された表示においてアンテナANT1に属するすべてのコードチャネルは、エイリアス出力を生じるコードチャネルが認識できないように示されている。
【００２１】
図７には、これは例であるが、より高いクラスコードの有効なコードチャネルによるエイリアス出力の発生および直交送信ダイバーシチの使用が表示されている。したがって、この図のコードチャネル18（コード18、アンテナANT1、OTDを有する拡散率64）においては、直交送信ダイバーシチを有する次のクラスのコード（アンテナANT1、拡散率128）のコードチャネル18に起因する次のより高い拡散率の出力だけでなく、OTDを有する拡散率128のアンテナANT2のコードチャネル18に起因する出力も認識できる。両方の出力は、直交送信ダイバーシチを有する拡散率64のアンテナANT1のコードチャネルC18に配置され、それに応じて個々のコードチャネルの出力分布を表すグラフにおいて着色マーキングされる。このマークは適用事例に応じてより高いクラスのコードのエイリアス出力またはOTDによるエイリアス出力の表示に合致する。
【００２２】
図８において、本発明に基づく信号解析装置10が概略的に示されている。本発明による信号解析装置10は、測定すべきCDMA信号12が接続される入力接続部11を備えている。この入力接続部は、アンテナ18に対するアンテナ接続部あるいは信号回線に対する接続部とすることができる。入力する信号12は、入力接続部11を介して解析装置13へ供給される。解析装置13では、入力する信号12が解析される。その結果、すべての有効チャネルについての実際の出力が算定され、これにより有効チャネルを該当するクラスのコードへ割り当てることができる。個々のコードチャネルの測定された出力を表示装置14において表示するために、オペレータは操作フィールド１５において入力を行うが、それは回線16を介して解析装置13へ送られる。操作フィールド15において入力された表示パラメータには、例えば表示のための特定の基本拡散率の選択が含まれる。
【００２３】
特定の基本拡散率のために表示すべきコードチャネルの出力は、解析装置13から別の接続回線17を介して表示装置14へ伝達され、そこで個々のコードチャネルの測定された出力のグラフ表示が、図２、図３、図５および／又は図６の説明に基づいて再び行われる。
【００２４】
コードチャネルの着色表示によってコードチャネルがエイリアス出力を有することを認識した場合には、オペレーターは操作フィールド15を介して入力を行うことができる。それに応じて解析装置13は、表示装置14に対し、より高い拡散率ＳＦを有するより高いクラスのコードの変更された表示のための要求された情報を伝達する。コードチャネルにおいてエイリアス出力が生じない最小の拡散率に関する表示を、自動的に選択することも可能である。拡散率に関する表示の自動的変換の代わりに、入力によって特定の拡散率に対する表示を直接選択することも可能である。
【００２５】
さらに図８では、通常は空間的に位置のずれた２つのアンテナANT1およびANT2を介して送信機19が送信する例が示されており、そこで使用されるコードは前述したように次のより高いクラスのコードへ拡散される。
【図面の簡単な説明】
【００２６】
【図１】エイリアス出力の生成についての概略図である。
【図２】基本拡散率についてのエイリアス出力を有するコードチャネルの測定された出力のグラフである。
【図３】より高い拡散率についての図２によるコードチャネルの出力のグラフである。
【図４】２つのアンテナの使用によるエイリアス出力の生成についての概略図である。
【図５】棒グラフによる基本拡散率についてのコードチャネルの出力の図である。
【図６】より高い拡散率についての図５によるコードチャネルの出力のグラフ図である。
【図７】エイリアス出力の生成についての別の概略図である。
【図８】本発明による信号解析装置のブロック回路図である。
【図１】
2005535162.tif 000003
【図２】
2005535162.tif 000004
【図３】
2005535162.tif 000005
【図４】
2005535162.tif 000006
【図５】
2005535162.tif 000007
【図６】
2005535162.tif 000008
【図７】
2005535162.tif 000009
【図８】
2005535162.tif 000010
【国際調査報告】
2005535162.tif 000011
2005535162.tif 000012
2005535162.tif 000013
2005535162.tif 000014
2005535162.tif 000015
2005535162.tif 000016